(57)【要約】【課題】偽造防止画像の判定を行うことなく、また通常のコピー印刷物やネットワークプリント印刷物への影響を最小限に抑えつつ、紙幣や有価証券等の偽造防止物とプリントした際に、それが偽造であると判別し得る。【解決手段】人が視覚的に判別し難い色（例：黄）の所定の画像パターンを記憶しておき、コピー抑制モードと通常モードを選択設定可能であるが、一般ユーザの使用時は、コピー抑制モードに設定してある。コピーのスタートキーが操作されると（ステップＳＴ１）、次にコピー抑制モードであるか否かを判定し（ステップＳＴ２）、コピー抑制モードの場合には、スキャン画像に記憶してあるパターン画像を付加してプリントする（ステップＳＴ３）。特定の場合、条件で通常モードが設定されていると、スキャン画像のみを、そのまま忠実にプリントする（ステップＳＴ４）。【選択図】      図３
2005031113.tif 000002
【特許請求の範囲】
【請求項１】
モード切替手段と、画像を印字するカラー画像印字装置と、第１のモードでは入力画像を前記カラー画像印字装置で忠実に印字するように制御し、第２のモードでは、人が視覚的に判別し難い色の付加画像を付加した形態で、前記カラー画像印字装置により、入力画像を印字するように制御する制御手段を備えることを特徴とするカラー画像形成装置。
【請求項２】
前記第２のモードで、人が視覚的に判別し難い色の付加画像を入力画像の全面に付加することを特徴とする請求項１記載のカラー画像形成装置。
【請求項３】
前記第２のモードから第１のモードへの切り替えには、所定パスワードの入力を条件とすることを特徴とする請求項１又は請求項２記載のカラー画像形成装置。
【請求項４】
入力色空間の画像データを、入力色空間とは異なる出力色空間の画像データに変換する色空間変換手段と、色空間変換手段による色空間変換後の画像データを２値化する２値化手段とを備え、２値化手段により２値化された画像データに対して付加画像を付加することを特徴とする請求項１、請求項２、又は請求項３記載のカラー画像形成装置。
【発明の詳細な説明】
【０００１】
【発明の属する技術分野】
この発明は、カラー複写機、カラーファクシミリ装置、カラー複合機などのカラー画像形成装置に関する。
【０００２】
【従来の技術】
近年、カラー画像形成装置では高精度の印字が可能となり、紙幣や有価証券等をコピーし、偽造物を作成することも可能である。このような偽造を防止するために、スキャンした画像が偽造防止画像か否かを検出し、偽造防止画像である場合に、正常な画像出力を阻止（例えば、画像出力を中止、強制的に変更した内容の画像を出力）することが知られている。
【０００３】
また、他の偽造防止技術として、肉眼により観察した場合に、偽造防止の潜像を容易に見つけられず、複写した場合に明確な潜像パターンが現れるようにすることを目的として、第１のパターンと第２のパターンとの共通の色成分のみが再現され、共通でない色成分は、消色することにより、複写を判別する複写防止印刷物が開示されている（例えば、特許文献１参照）。
【０００４】
【特許文献１】
特開平９−２５４５１９号公報
【０００５】
【発明が解決しようとする課題】
上記した、偽造防止画像である場合に正常な画像出力を阻止する方法では、スキャンした画像が偽造防止画像か否かの判定が必要である。また、上記特許文献１に記載の技術は、偽造防止用の処理を施した複写防止印刷物に係るものであり、そのような処理を施していない紙幣、有価証券などをコピーによる偽造から守ることができない。
【０００６】
この発明は上記問題点に着目してなされたものであって、偽造防止画像の判定を行うことなく、また通常のコピー印刷物やネットワークプリント印刷物への影響は最小限に抑えつつ、紙幣や有価証券等の偽造防止物をプリントした際に、それが偽造であると判別し得るカラー画像形成装置を提供することを目的としている。
【０００７】
【課題を解決するための手段】
この発明のカラー画像形成装置は、モード切替手段と、画像を印字するカラー画像印字装置と、第１のモード（通常モード）では入力画像を前記カラー画像印字装置で忠実に印字するように制御し、第２のモード（コピー抑制モード）では、人が視覚的に判別し難い色の付加画像を付加した形態で、前記カラー画像印字装置により、入力画像を印字するように制御する制御手段を備えている。第１のモードには、サービスマンによるキャリブレーションのときに、第２のモードを一時的に解除したい場合も含まれる。また、入力画像には、記憶してあるテストチャート等も含まれる。
【０００８】
この発明のカラー画像形成装置では、第２モードで人が視覚的に判別し難い色の付加画像を入力画像の全面に付加することができる。
【０００９】
また、この発明のカラー画像形成装置において、第２のモードから第１のモードへの切り替えは、所定パスワードの入力を条件としても良い。
【００１０】
また、この発明のカラー画像形成装置において、入力色空間の画像データを、入力色空間とは異なる出力色空間の画像データに変換する色空間変換手段と、色空間変換手段による色空間変換後の画像データを２値化する２値化手段とを備え、２値化手段により２値化された画像データに対して付加画像を付加することとしても良い。
【００１１】
【発明の実施の形態】
以下、実施の形態により、この発明を更に詳細に説明する。この実施形態に係るカラー画像読取装置の構成例のブロック図を図１に示す。
【００１２】
図１において、ＭＰＵ１（中央処理装置）は、当該装置全体を制御する機能を有する。また、ＭＰＵ１は、後述するように、コピー抑制モードにおいて、画像読取部２で読み取った原稿画像にパターン画像メモリ２１に記憶しているパターン画像を付加して、プリンタで印字するように制御する機能を有する。
【００１３】
このＭＰＵ１には、システムバス９を介して画像読取部２、操作部３、表示部４、ＲＯＭ５、ＲＡＭ６、プリンタ７、ＬＡＮＩ／Ｆ８が接続されている。
【００１４】
画像読取部２は、後記の３ラインセンサにより原稿を読み取ってスキャン画像を取得する。具体的には、３ラインセンサの出力をアナログ増幅するとともに、デジタルデータを多値化出力する。操作部３は、コピーの開始等を指示するスタートキー、コピー枚数や部数等を入力するためのテンキー等を有する。表示部４は、操作部３の操作により入力されたコピー枚数や部数、プリンタ７のトナー残量等の種々の情報を表示する。この表示部４としては、例えばＬＣＤ（液晶表示装置）が用いられる。
【００１５】
ＲＯＭ５は、この装置全体の動作を制御するためのプログラム等を予め記憶してある。ＲＡＭ６は、ＭＰＵ１による制御に必要なデータ及び制御動作時に一時記憶が必要なデータ等を記憶する。プリンタ７は、画像読取部２により取得したスキャン画像データ又は外部処理装置（ＰＣ）から受信した画像データを用紙にカラー又はモノクロで印字する。ＬＡＮＩ／Ｆ８は、ＬＡＮに接続するためのポートであり、これにより外部処理装置（ＰＣ）等に接続される。
【００１６】
画像読取部２は、図２に示すように、Ｒ信号処理部１１Ｒと、Ｇ信号処理部１１と、Ｂ信号処理部１１Ｂと、第１の色変換部１７と、画像処理部１８と、第２の色変換部１９と、２値化回路２０と、パターン画像メモリ２１と、色合成部２２とを備えている。
【００１７】
Ｒ信号処理部１１Ｒは、ラインイメージセンサ１２Ｒと、アナログフロントエンド（ＡＦＥ）回路１３Ｒと、Ａ／Ｄ変換部１４Ｒと、シェーディング補正回路１５Ｒと、ライン補正メモリ１６Ｒとを備えている。Ｇ信号処理部１Ｇは、ラインイメージセンサ２Ｇと、アナログフロントエンド回路１３Ｇと、Ａ／Ｄ変換部１４Ｇと、シェーディング補正回路１５Ｇと、ライン補正メモリ１６Ｇとを備えている。また、Ｂ信号処理部１１Ｂは、ラインイメージセンサ１２Ｂと、アナログフロントエンド回路１３Ｂと、Ａ／Ｄ変換部１４Ｂと、シェーディング補正回路１５Ｂとを備えている。ここで、Ｂ信号処理部１１Ｂにライン補正メモリを備えていないのは、Ｂ信号を基準にして他のＲ信号、Ｇ信号を遅延するためである。なお、各シェーディング補正回路１５Ｒ、１５Ｇ、１５Ｂには、それぞれシェーディングＲＡＭを備えている。
【００１８】
ラインイメージセンサ１２Ｒは、多数の撮像素子を並設したＣＣＤで構成され、タイミング信号が加えられるたびに、原稿の１走査ラインの画像のＲ信号を分離して読み取り、読み取った１走査ラインの画像データを出力する。原稿と相対移動することにより、所定間隔をおいて、次の１走査ラインの画像のＲ信号を順次に読み取る。アナログフロントエンド回路１３Ｒは、ラインイメージセンサ１２Ｒの出力を受けて、アナログ増幅する。Ａ／Ｄ変換部１４Ｒは、アナログフロントエンド回路１３Ｒのアナログ出力を受け、デジタル信号に変換する。シェーディング補正回路１５Ｒは、ここではシェーディングＲＡＭを含み、シェーディングＲＡＭには基準板（白基準板）読み取り時のＡ／Ｄ変換部１４Ｒの出力をシェーディング補正データとして記憶している。シェーディング補正回路１５Ｒは、原稿読み取り時のＡ／Ｄ変換部１４Ｒの出力をシェーディング補正データにより補正して出力する。ライン補正メモリ１６Ｒは、シェーディング補正回路１５Ｒの出力を受けて、所定ライン分遅延させて出力する。他のＧ信号処理部１１Ｇ、Ｂ信号処理部１１Ｂを構成する各回路も同様である。
【００１９】
仮に、ラインイメージセンサ１２Ｒ、１２Ｇ、１２Ｂのそれぞれの間隔が４走査ライン分に相当するとすれば、シェーディング補正回路１５Ｒから１走査ラインのＲ信号が出力されてから、４ライン分遅れてシェーディング補正回路１５Ｇから１走査ラインのＧ信号が出力され、更に４ライン分遅れてシェーディング補正回路１５Ｂから１走査ラインのＢ信号が出力される。従って、Ｒ信号はライン補正メモリ１６Ｒで８ライン分遅延されて、Ｇ信号はライン補正メモリ１７Ｇで４ライン分遅延されて、それぞれ第１の色変換部１７に入力される。そのため、第１の色変換部１７に入力されるＲ，Ｇ，Ｂの各信号は同一走査ライン上のものとなる。
【００２０】
第１の色変換部１７では、Ｒ，Ｇ，Ｂ空間の色信号が均等色空間であるＬ＊  ，ａ＊  ，ｂ＊  空間の色信号に変換される。第１の色変換部１７でＬ＊  ，ａ＊  ，ｂ＊  空間に変換されたデータは、画像処理部１９を経て、第２の色変換部１９に入力される。第２の色変換部１９では、色信号Ｌ、ａ、ｂを多値のプリント用色空間であるＣＭＹＫ空間の色信号に変換する。そして、多値のＣＭＹＫ信号は２値化回路２０で２値化されて２値のＣＭＹＫ信号となり、色合成部２１に入力される。
【００２１】
パターン画像メモリ２１には、人間が視覚的に判別し難い色（例えば黄色）のパターン画像が２値データとして記憶されている。２値化回路２０で２値化されたスキャンカラー画像は、色合成回路２２でパターン画像メモリ２１に記憶されるパターン画像が全面に渡って合成されて、プリンタ７に入力される。コピー抑制モードでなく、通常モードでは、２値化回路２０からのスキャン画像データが色合成回路２２をスルーして、そのままプリンタ７に入力される。
【００２２】
この実施形態装置では、コピー時に、スキャンカラー画像を忠実にプリントする通常モード（第１のモード）と、スキャンカラー画像に、原稿画像と無関係である所定のパターン画像が合成（付加）されてプリントされるコピー抑制モード（第２のモード）とがある。この実施形態では、むしろ常時は、コピー抑制モードで動作し、特定の場合に通常モードで動作する。つまり、図３に示すように、この処理ルーチンに入ると、ステップＳＴ１において、コピーか否か判定される。操作部３のコピーのスタートキーが押されると、ステップＳＴ２へ移行する。ステップＳＴ２においては、現在のモードがコピー抑制モードか否かを判定する。この装置が不特定多数の者の使用に供する場合であって、常時の使用状態では、コピー抑制モードで動作しているときには、判定ＹＥＳとなって、ステップＳＴ３へ移行する。ステップＳＴ３においては、２値化回路２０から出力されるスキャン画像である原稿画像に、パターン画像メモリ２１の黄色のパターン画像を色合成部２２で合成して、プリンタ７に入力し、プリントする。これにより、スキャン画像データの全面に対して黄色の所定パターンが付加された画像がプリントされる。このように、コピー抑制モードでは、原稿画像に忠実でない画像がプリントされる。ステップＳＴ２において、装置がパスワードの入力、又はその他特定の操作によって、通常モードに設定されている場合には、判定ＮＯとなり、ステップＳＴ４へ移行する。ステップＳＴ４においては、よく知られた一般の装置と同様に、スキャン画像データを原稿画像に忠実な内容でプリントする。
【００２３】
図４は、この発明の他の実施形態を説明するフロー図である。この実施形態では、装置の状態をコピー抑制モードと、一般の装置と同様の通常モードのいずれかに予め設定できるようになっている。
【００２４】
コピーキーを操作した後、ステップＳＴ１２において、コピー抑制モードが否か判定される。コピー抑制モードに設定されている場合は、ステップＳＴ１３において、スキャン画像にパターン画像を付加してプリントする。ステップＳＴ１２において、通常モードの場合には、ステップＳＴ１４へ移行し、パスワード入力を受け付ける状態とする。次に、ステップＳＴ１５へ移行する。ステップＳＴ１５において、入力されたパスワードがモード変換用に予め設定されたパスワードと一致しない場合、あるいは所定時間内にパスワードが入力されない場合は、ステップＳＴ１３へ移行し、スキャン画像とパスワード画像を合成したプリントを行う。ステップＳＴ１５において、パスワードが一致した場合には、ステップＳＴ１６へ移行し、スキャン画像に忠実なプリント（パターン画像を付加しない画像のプリント）を実行する。
【００２５】
なお、この実施形態カラー画像読取装置は、上記したように、画像読取部で読み取った原稿画像をプリンタでプリントするコピー機能のみならず、ネットワーク（ＬＡＮＩ／Ｆ８）を介しての外部処理装置からの要求により、ネットワークプリント又はネットワークスキャンを実行するネットワークプリント機能、ネットワークスキャナ機能を有するものである。そして、これら全機能に対して一括してコピー抑制モードの設定が可能である。また、各機能毎に、コピー抑制モードを設定しても良い。また、コピー抑制モードを解除するためのパスワード設定も、全機能に対して一括して可能としても良いし、各機能毎に異なるパスワードとしても良い。
【００２６】
【発明の効果】
請求項１に係る発明によれば、第２のモード（コピー抑制モード）に設定することにより、偽装防止画像の判定手段を設けることなしに、紙幣等の忠実なコピー／プリントが簡単に防止できる。忠実なコピー／プリント、あるいは正確なキャリブレーションがしたい場合には、第１のモードに切り替えれば良い。
【００２７】
また、請求項２に係る発明によれば、付加画像を全面に付加するので、画像読取部に対してどのような位置に原稿をセットした場合でも、原稿画像に対して付加画像を確実に重ねることができる。
【００２８】
また、請求項３に係る発明によれば、第２のモードを解除するためにパスワードを必要とするので、使用者が簡単に第１のモードに切り替えて紙幣等を忠実にコピーしてしまうことを防止できる。
【００２９】
また、請求項４に係る発明によれば、出力色空間の２値データに対して付加画像を付加するので、付加画像を付加するために取り扱うデータ量が少なくて良い。また、２値化前（多値の状態）に付加した場合には、２値化処理により付加画像のパターンが崩れてしまう場合があるが、本願のように、２値化後に付加することにより、付加画像のパターンが崩れてしまうのを確実に防止でき、意図した形態のパターンを確実に付加できる。
【図面の簡単な説明】
【図１】この発明の一実施形態であるカラー画像読取装置の構成を示すブロック図である。
【図２】同実施形態カラー画像読取装置のカラー画像読取部の構成を示すブロック図である。
【図３】同実施形態カラー画像読取装置のコピー処理動作を説明するフロー図である。
【図４】他の実施形態カラー画像読取装置のコピー処理動作を説明するフロー図である。
【符号の説明】
１                        ＭＰＵ
２                        画像読取部
３                        操作部
４                        表示部
５                        ＲＯＭ
６                        ＲＡＭ
７                        プリンタ
８                        ＬＡＮＩ／Ｆ
９                        システムバス
１１Ｒ、１１Ｇ、１１Ｂ    信号処理部
１２Ｒ、１２Ｇ、１２Ｂ    ラインイメージセンサ
１３Ｒ、１３Ｇ、１３Ｂ    ＡＦＥ回路
１４Ｒ、１４Ｇ、１４Ｂ    Ａ／Ｄ変換器
１５Ｒ、１５Ｇ、１５Ｂ    シェーディング補正回路
１６Ｒ、１６Ｇ            ライン補正メモリ
１７                      第１の色変換部
１８                      画像処理部
１９                      第２の色変換部
２０                      ２値化回路
２１                      パターン画像メモリ
２２                      色合成回路
【図１】
2005031113.tif 000003
【図２】
2005031113.tif 000004
【図３】
2005031113.tif 000005
【図４】
2005031113.tif 000006